(57)【要約】【課題】  コンドーム用水性潤滑剤および当該潤滑剤を塗布したコンドームを提供する。【解決手段】  コンドームを白化させず、かつ、コンドームおよび潤滑剤を変色させないことを特徴とするコンドーム用水性潤滑剤が提供される。当該コンドーム用水性潤滑剤は、Ｌ−グルタミン酸ナトリウム、Ｌ−アルギニンのいずれか一方または両方を含むことにより、貯蔵中のコンドームの白化を防止できるだけでなく、コンドームおよび潤滑剤の変色も防止できるという有利な効果を有する。【選択図】      なし【特許請求の範囲】
【請求項１】
コンドームを白化させず、かつ、コンドームおよび潤滑剤を変色させないことを特徴とするコンドーム用水性潤滑剤。
【請求項２】
Ｌ−グルタミン酸ナトリウム、Ｌ−アルギニンのいずれか一方または両方を含むコンドーム用水性潤滑剤。
【請求項３】
１）Ｌ−グルタミン酸ナトリウム、Ｌ−アルギニンのいずれか一方または両方、並びに２）粘度調整剤を含むコンドーム用水性潤滑剤。
【請求項４】
粘度調整剤がアルギン酸ナトリウム、カルボキシメチルセルロース、カラゲナン、ヒアルロン酸ソーダ、ポリアクリル酸ソーダ、ポリビニルアルコール、ポリビニルピロリドン、カルボキシビニルポリマー、グリセリン、プロピレングリコール、シリコーンオイル、パラフィンオイルからなる群から選択される１種以上である、請求項３記載のコンドーム用水性潤滑剤。
【請求項５】
Ｌ−グルタミン酸ナトリウム含有量が、コンドーム用水性潤滑剤の全重量を基準として１〜７０重量％である、請求項２〜４のいずれか１項に記載のコンドーム用水性潤滑剤。
【請求項６】
Ｌ−アルギニン含有量が、コンドーム用水性潤滑剤の全重量を基準として１〜１４重量％である、請求項２〜４のいずれか１項に記載のコンドーム用水性潤滑剤。
【請求項７】
Ｌ−アルギニンの含有量が、コンドーム用水性潤滑剤の全重量を基準として、０重量％より多く１４重量％以下であって、かつＬ−アルギニンとＬ−グルタミン酸ナトリウムとの合計含有量が、コンドーム用水性潤滑剤の全重量を基準として１〜７０重量％である、請求項２〜４のいずれか１項に記載のコンドーム用水性潤滑剤。
【請求項８】
請求項１〜７のいずれかに１項に記載のコンドーム用水性潤滑剤を塗布したコンドーム。
【発明の詳細な説明】
【技術分野】
【０００１】
本発明はコンドーム用水性潤滑剤、および当該コンドーム用水性潤滑剤を塗布したコンドームに関する。
【背景技術】
【０００２】
従来、コンドーム用潤滑剤としてはシリコーンオイルが一般に使用されてきたが、シリコーンオイルは衣類、手指、局所等に付着した場合に水洗による洗い落としが困難であった。このため、シリコーンオイルに替わるコンドーム用潤滑剤として水による洗い落としが容易で、かつ吸水によるコンドームの白化を防止する機能を有する水溶性潤滑剤が多数考案されている（例えば、特許第３４４１９０３、特開平１０−１８２４３２、特開平８−２０５２８、特開平７−２６７８４９、特開平５−２９４８２５、特開平６−１６５７９６、特開平５−２６９１６５参照）。
【０００３】
【特許文献１】特許第３４４１９０３号公報
【特許文献２】特開平１０−１８２４３２号公報
【特許文献３】特開平８−２０５２８号公報
【特許文献４】特開平７−２６７８４９号公報
【特許文献５】特開平５−２９４８２５号公報
【特許文献６】特開平６−１６５７９６号公報
【特許文献７】特開平５−２６９１６５号公報
【発明の開示】
【発明が解決しようとする課題】
【０００４】
しかし、本発明者らが白化を防止できる水性潤滑剤について検討を行ったところ、コンドームに塗布した場合に白化は防止できるものの、コンドームまたは潤滑剤自体が変色する場合があることが明らかとなった。コンドームは避妊具として使用されるというその性質上、使用者にとって、その品質が使用時まで高レベルで維持されていることが望まれるものである。仮に避妊という目的においてはその品質を維持している場合でも、使用時に外観上の変色が認められれば、使用者はその品質が使用に耐え得ないものであると考えるであろう。
【０００５】
本発明は上記事情を鑑みてなされたものであり、すなわち、本発明はコンドームの白化を防止できると共に、コンドームおよび潤滑剤自体の変色を防止できる、コンドーム用水性潤滑剤、並びに当該コンドーム用水性潤滑剤を塗布したコンドームを提供することを目的とする。
【課題を解決するための手段】
【０００６】
本発明は第１の態様として、コンドームを白化させず、かつ、コンドームおよび潤滑剤を変色させないことを特徴とするコンドーム用水性潤滑剤を提供する。
本発明は第２の態様として、Ｌ−グルタミン酸ナトリウム、Ｌ−アルギニンのいずれか一方または両方を含むコンドーム用水性潤滑剤を提供する。
本発明は第３の態様として、１）Ｌ−グルタミン酸ナトリウム、Ｌ−アルギニンのいずれか一方または両方、並びに２）粘度調整剤を含むコンドーム用水性潤滑剤を提供する。
本発明は第４の態様として、粘度調整剤がアルギン酸ナトリウム、カルボキシメチルセルロース、カラゲナン、ヒアルロン酸ソーダ、ポリアクリル酸ソーダ、ポリビニルアルコール、ポリビニルピロリドン、カルボキシビニルポリマー、グリセリン、プロピレングリコール、シリコーンオイル、パラフィンオイルからなる群から選択される１種以上である、前記コンドーム用水性潤滑剤を提供する。
本発明は第５の態様として、Ｌ−グルタミン酸ナトリウム含有量が、コンドーム用水性潤滑剤の全重量を基準として１〜７０重量％である、前記コンドーム用水性潤滑剤を提供する。
本発明は第６の態様として、Ｌ−アルギニン含有量が、コンドーム用水性潤滑剤の全重量を基準として１〜１４重量％である、前記コンドーム用水性潤滑剤を提供する。
本発明は第７の態様として、Ｌ−アルギニンの含有量が、コンドーム用水性潤滑剤の全重量を基準として、０重量％より多く１４重量％以下であって、かつＬ−アルギニンとＬ−グルタミン酸ナトリウムとの合計含有量が、コンドーム用水性潤滑剤の全重量を基準として１〜７０重量％である、前記コンドーム用水性潤滑剤を提供する。
本発明は第８の態様として、前記コンドーム用水性潤滑剤を塗布したコンドームを提供する。
【発明の効果】
【０００７】
本発明のコンドーム用水性潤滑剤は、Ｌ−グルタミン酸ナトリウムおよび／またはＬ−アルギニンを含むことにより、当該コンドーム用水性潤滑剤を塗布したコンドームにおいて、コンドームの白化を防止できると共に、コンドームおよび潤滑剤自体の変色も防止できるという有利な効果を有する。
【発明を実施するための最良の形態】
【０００８】
本発明のコンドーム用水性潤滑剤は、コンドームを白化させず、かつ、コンドームおよび潤滑剤を変色させないことを特徴とする。本発明におけるコンドームの白化、コンドームおよび潤滑剤の変色は、コンドームに潤滑剤を適当量塗布して、水分が蒸発しないように包装して貯蔵した場合の白化、変色をいう。かかる特徴を達成するものとして好ましくは、本発明のコンドーム用水性潤滑剤は、Ｌ−グルタミン酸ナトリウム、Ｌ−アルギニンのいずれか一方または両方を含む。これらＬ−グルタミン酸ナトリウム、Ｌ−アルギニンは、生体に対して安全であるという利点も有している。本発明のコンドーム用水性潤滑剤に使用可能なＬ−グルタミン酸ナトリウムおよびＬ−アルギニンとしては、例えば、味の素株式会社製のＬ−グルタミン酸ナトリウム、同社製のＬ−アルギニンＣグレードなどの市販のものであっても良いし、任意の公知の方法で製造したものであっても良い。
また、本発明の潤滑剤は「水性」であるが、これは当該潤滑剤のベースとなる媒体が水であることを意味する。
【０００９】
本発明のコンドーム用水性潤滑剤においてＬ−グルタミン酸ナトリウムが使用される場合には、Ｌ−グルタミン酸ナトリウムの添加量は、好ましくはコンドーム用水性潤滑剤の全重量を基準として１〜７０重量％であり、より好ましくは５〜６５重量％である。
また、本発明のコンドーム用水性潤滑剤においてＬ−アルギニンが使用される場合には、Ｌ−アルギニンの添加量は、好ましくはコンドーム用水性潤滑剤の全重量を基準として１〜１４重量％であり、より好ましくは５〜１０重量％である。
さらに、本発明のコンドーム用水性潤滑剤において、Ｌ−グルタミン酸ナトリウムおよびＬ−アルギニンの両方が使用される場合には、Ｌ−アルギニンの含有量は、コンドーム用水性潤滑剤の全重量を基準として、０重量％より多く１４重量％以下であって、かつＬ−アルギニンとＬ−グルタミン酸ナトリウムとの合計含有量が、コンドーム用水性潤滑剤の全重量を基準として好ましくは１〜７０重量％、より好ましくは５〜６５重量％である。
【００１０】
本発明のコンドーム用水性潤滑剤はさらに粘度調整剤を含んでいてもよい。一般に、潤滑剤が低粘度の液体状態である場合には、そのほとんどが包装材に移行してしまい、肝心のコンドームへの付着量が低下するといった問題が生じる場合があるが、本発明の潤滑剤は粘度調整剤を含むことにより、かかる問題を防ぐことが可能となり、さらには潤滑剤がある程度以上の粘性抵抗を呈することにより、性交時における使用感を高めることも可能となる。本発明において使用可能な粘度調整剤としては、上述のように本発明の潤滑剤の粘度を適切にでき、かつ本発明の目的に反しないものであれば特に限定されるものではなく、例えば、アルギン酸ナトリウム、カルボキシメチルセルロース（本発明においてはナトリウム塩をはじめとする塩の形態であっても良い。）、カラゲナン、ヒアルロン酸ソーダ、ポリアクリル酸ソーダ、ポリビニルアルコール、ポリビニルピロリドン、カルボキシビニルポリマー、グリセリン、プロピレングリコール、シリコーンオイル、パラフィンオイルが挙げられるがこれらに限定されるものではない。
【００１１】
本発明のコンドーム用水性潤滑剤のコンドームへの塗布方法については、従来からおこなわれている、例えば、巻き上げられたコンドームに本発明の潤滑剤の適当量を滴下塗布する方法、あるいは型にかぶせたコンドームを本発明の潤滑剤に浸漬してから引き上げて、巻き上げる方法等が可能であるが、考え得る他の方法も可能であり、特に限定されるものではない。
【００１２】
本発明において、「コンドーム」は、任意の公知の材料を用いて形成することが可能である。例えば、材料としては、ゴムラテックス、エラストマー溶液などが挙げられ、ゴムラテックスとしては、例えば、天然ゴムラテックス；イソプレンゴム、スチレンブタジエンゴム、ニトリルブタジエンゴム、クロロプレンゴム、ポリウレタンゴム、シリコーンゴムなどの合成ゴム類のラテックス；およびこれらを硫黄、過酸化物、放射線などにより前加硫（換言すると熟成）させたゴムラテックス；並びにポリウレタン、ＳＢＳ、ＳＥＢＳ、ＳＩＳ、ポリオレフィンなどをはじめとする熱可塑性エラストマーのラテックスが挙げられる。好ましくは、ゴムラテックスとしては、天然ゴムラテックス、イソプレンゴムラテックス、スチレンブタジエンゴムラテックス、ポリウレタンラテックスなどが挙げられる。また、エラストマー溶液としては、ポリウレタン、ＳＢＳ、ＳＥＢＳ、ＳＩＳ、ポリオレフィンなどをはじめとする熱可塑性エラストマーが溶剤中に溶解されたエラストマー溶液が挙げられるが、これらに限定されるものではない。また、コンドームの製造方法も特に限定されるものではなく、任意の公知の方法で製造することができる。
【００１３】
理論に拘束されるのを望むものではないが、本発明の潤滑剤におけるコンドームの白化の防止は、Ｌ−グルタミン酸ナトリウムおよびＬ−アルギニンの保水性によりゴムの吸水量を抑制するだけではなく、これらがゴム分子間マトリクスに水とともに侵入し、ゴムと水との界面を濡らすことによって可視光の屈折率を低下させることにより達成されていることが考えられる。また、本発明の潤滑剤におけるコンドームおよび潤滑剤の変色の防止は、製造過程において硫黄加硫がなされたコンドームにおいては、コンドームに残存する遊離硫黄と潤滑剤中の成分とが反応することにより、コンドームまたは潤滑剤を変色させる可能性があるが、Ｌ−グルタミン酸ナトリウムおよびＬ−アルギニンはコンドームに塗布された条件下で、残存する遊離硫黄との反応が起こらないかもしくは反応の程度が低いためと考えられた。なお、上記理論はあくまでも推定であり、本発明は上記理論に拘束されるものではない。上記コンドームまたは潤滑剤の変色の理論を鑑みると、本発明のコンドーム用水性潤滑剤は特に、その製造過程で硫黄加硫がなされたコンドームに対して有効であると考えられる。すなわち、本発明のコンドーム用水性潤滑剤は、好ましくは、製造過程で硫黄加硫がなされたコンドーム用水性潤滑剤である。
【００１４】
本発明のコンドーム用水性潤滑剤は、本発明の目的に反しない限りは、Ｌ−グルタミン酸ナトリウムおよびＬ−アルギニン、並びに含まれる場合には粘度調整剤以外の他の成分を含むことができ、例えば、香料、顔料、保湿剤、防腐剤などが挙げられるが、これらに限定されるものではない。
以下、実施例により本発明を詳述するが、実施例の記載は本発明の範囲を限定するものではない。
【実施例】
【００１５】
実施例１〜３および比較例１〜３
コンドーム用水性潤滑剤を塗布したコンドームの白化、並びにコンドームおよび潤滑剤の経日変化の肉眼による観測。
実施例１として、Ｌ−グルタミン酸ナトリウム（味の素株式会社製）を１５重量％となるように純水に添加して調製したコンドーム用水性潤滑剤を硫黄加硫させたコンドームの巻き上げ品に１ｍＬ滴下塗布し、水分が蒸発しないように包装した。
実施例２として、Ｌ−アルギニンＣグレード（味の素株式会社製）を５重量％、さらに粘度調整剤としてグリセリンを４０重量％、プロピレングリコールを１０重量％およびカルボキシメチルセルロースナトリウムを１重量％となるように純水に添加して調製したコンドーム用水性潤滑剤を、硫黄加硫させたコンドームの巻き上げ品に１ｍＬ滴下塗布し、水分が蒸発しないように包装した。
実施例３として、Ｌ−グルタミン酸ナトリウムを５重量％およびＬ−アルギニンを５重量％、さらに粘度調整剤としてグリセリンを４０重量％、プロピレングリコールを１０重量％およびカルボキシメチルセルロースを１重量％となるように純水に添加して調製したコンドーム用水性潤滑剤に、型にかぶせた硫黄加硫させたコンドームを漬けてから引き上げ、巻き上げて、水分が蒸発しないように包装した。
【００１６】
比較例１として、グリシンを１５重量％となるように純水に添加して調製したコンドーム用水性潤滑剤を硫黄加硫させたコンドームの巻き上げ品に１ｍＬ滴下塗布し、水分が蒸発しないように包装した。
比較例２として、Ｌ−プロリンを５重量％、さらに粘度調整剤としてグリセリンを４０重量％およびプロピレングリコールを１０重量％およびカルボキシメチルセルロースを１重量％となるように純水に添加して調製したコンドーム用水性潤滑剤に、型にかぶせた硫黄加硫させたコンドームを漬けてから引き上げ、巻き上げて、水分が蒸発しないように包装した。
比較例３として、粘度調整剤としてグリセリンを４０重量％、プロピレングリコールを１０重量％およびカルボキシメチルセルロースを１重量％となるように純水に添加して調製したコンドーム用水性潤滑剤を硫黄加硫させたコンドームの巻き上げ品に１ｍＬ滴下塗布し、水分が蒸発しないように包装した。
【００１７】
実施例１〜３および比較例１〜３のコンドーム用水性潤滑剤を塗布したコンドームを室温で６０日間、あるいは７０℃雰囲気下で３日間放置し、コンドームの白化、並びにコンドームおよび潤滑剤の変色の経日変化を肉眼にて観察した。結果を表１に示す。
【００１８】
【表１】
2006169406.tif 000002
【００１９】
Ｌ−グルタミン酸ナトリウムおよび／またはＬ−アルギニンを含む水性潤滑剤を塗布した実施例１〜３においては、室温で６０日、７０℃で３日間のいずれの保管条件においても、コンドームの白化、並びにコンドームおよび潤滑剤の変色は共に認められなかった。これに対して、アミノ酸であるグリシン、Ｌ−プロリンを用いた比較例１および２においては、コンドームの白化は認められなかったものの、コンドームおよび潤滑剤は茶色に変色していた。また、アミノ酸を使用しない比較例３においては、コンドームおよび潤滑剤の変色は認められなかったものの、コンドームの白化が認められた。これらの結果から、Ｌ−グルタミン酸ナトリウムおよびＬ−アルギニンは、他のアミノ酸と比較しても、コンドーム用水性潤滑剤に含まれた場合有利な効果を奏することが明らかとなった。